(57)【要約】  【課題】二つの電磁アクチュエータの相対的な配置関係とヨークの形状を工夫することによって、小型化にとって極めて好適なカメラ用羽根駆動装置を提供することである。  【解決手段】合成樹脂製の地板１に六つの軸１ｄ〜１ｉが立設されている。回転子５，６は、軸１ｄ，１ｅに回転可能に取り付けられ、出力ピン５ｃ，６ｃを羽根室内でシャッタ羽根３，絞り羽根４に連結させている。ヨーク７，８は、脚部７ｂ，８ｂに、コイル９，１１を巻回したボビン１０，１２を嵌装していて、各部７ｃ，８ｃが平行且つ隣接するようにして、対向する位置に形成した孔７ｄ，８ｄを軸１ｆ，１ｇに嵌合させている。カバー枠１３は、孔１３ａ，１３ｂを、軸１ｈ，１ｉに嵌合させている。そして、軸１ｆ〜１ｉの先端を熱溶解させフランジ状に変形させることによって、二つの電磁アクチュエータが、地板１に対してコンパクトに取り付けられている。【選択図】  図２
2008083203.tif 000002
【特許請求の範囲】
【請求項１】
撮影光路用の開口部を有している合成樹脂製の地板と、前記地板に取り付けられていて前記地板との間に少なくとも一つの羽根室を構成しているカバー板と、前記羽根室外において前記地板に取り付けられているカバー枠と、前記羽根室内に往復作動可能に配置されていて各々が少なくとも１枚の羽根からなる第１羽根及び第２羽根と、基部と二つの脚部とで略Ｕ字形をしており一方の脚部にはコイルを巻回したボビンを嵌装し他方の脚部には該基部に対する付け根近傍位置に孔を有していて該二つの脚部の先端に形成された磁極部を前記地板と前記カバー枠との間に配置している第１ヨークと、基部と二つの脚部とで略Ｕ字形をしており一方の脚部にはコイルを巻回したボビンを嵌装し他方の脚部には該基部に対する付け根近傍位置に孔を有していて該他方の脚部を前記第１ヨークの他方の脚部と略平行に隣接させ該二つの脚部の先端に形成された磁極部を前記地板と前記カバー枠との間に配置している第２ヨークと、永久磁石を有していて前記第１ヨークの二つの磁極部の間に回転可能に配置されており一体化されている出力ピンを前記羽根室内で前記第１羽根に連結させている第１回転子と、永久磁石を有していて前記第２ヨークの二つの磁極部の間に回転可能に配置されており一体化されている出力ピンを前記羽根室内で前記第２羽根に連結させている第２回転子と、を備えており、前記二つのヨークは、それらの前記孔を前記地板に立設された二つの軸に嵌合させ、該二つの軸の先端を熱溶解させ変形させることによって前記地板に取り付けられていることを特徴とするカメラ用羽根駆動装置。
【請求項２】
前記二つのヨークと前記二つの回転子とは、該二つの回転子を前記開口部側にして配置されていることを特徴とする請求項１に記載のカメラ用羽根駆動装置。
【請求項３】
前記カバー枠と前記二つのボビンとが、合成樹脂で一体成形されていることを特徴とする請求項１又は２に記載のカメラ用羽根駆動装置。
【請求項４】
前記カバー枠は、複数の孔を有していて、それらの孔を前記地板に立設された複数の軸に嵌合させ、該複数の軸の先端を熱溶解させ変形させることによって前記地板に取り付けられていることを特徴とする請求項１乃至３の何れかに記載のカメラ用羽根駆動装置。
【請求項５】
前記カバー枠は、前記第１回転子をカバーする第１カバー枠と、前記第２回転子をカバーする第２カバー枠とに分かれていて、前記第１ヨークに嵌装されている前記ボビンと該第１カバー枠とが合成樹脂で一体成形されており、前記第２ヨークに嵌装されている前記ボビンと該第２カバー枠とが合成樹脂で一体成形されていることを特徴とする請求項１又は２に記載のカメラ用羽根駆動装置。
【請求項６】
前記第１カバー枠と前記第２カバー枠の少なくとも一方は、少なくとも一つの孔を有していて、該孔を前記地板に立設された軸に嵌合させ、該軸の先端を熱溶解させ変形させることによって前記地板に取り付けられていることを特徴とする請求項５に記載のカメラ用羽根駆動装置。
【請求項７】
前記第１カバー枠と前記第２カバー枠とは、それらの一部を薄くして重合させており、前記地板側となる重合部に形成されている孔又は切欠き部と、他方の重合部に形成されている孔とを前記地板に立設された軸に嵌合させ、該軸の先端を熱溶解させ変形させることによって前記地板に取り付けられていることを特徴とする請求項５に記載のカメラ用羽根駆動装置。
【発明の詳細な説明】
【技術分野】
【０００１】
本発明は、各々が異なる少なくとも１枚の羽根を往復作動させるようにした二つの電磁アクチュエータを備えているカメラ用羽根駆動装置に関する。
【背景技術】
【０００２】
下記の特許文献１には、第１の電磁アクチュエータによってシャッタ羽根を往復作動させるようにしたシャッタ装置と、第２の電磁アクチュエータによって絞り羽根を往復作動させるようにした絞り装置とを一つにユニット化した羽根駆動装置が記載されている。そして、その特許文献１には、シャッタ装置とフィルタ装置とを一つにユニット化することや、絞り装置とフィルタ装置とを一つにユニット化することについても記載されている。また、文献をあげるまでもなく、第１の電磁アクチュエータによって開き専用のシャッタ羽根を往復作動させ、第２の電磁アクチュエータによって閉じ専用のシャッタ羽根を往復作動させるようにした羽根駆動装置も知られており、そのほかにも、第１の電磁アクチュエータによって第１の絞り羽根を往復作動させ、第２の電磁アクチュエータによって第１の絞り羽根とは異なる大きさの絞り開口を有している第２の絞り羽根を往復作動させるようにしたものや、第１の電磁アクチュエータによって第１のフィルタ羽根を往復作動させ、第２の電磁アクチュエータによって第１のフィルタ羽根とは異なる濃度の第２のフィルタ羽根を往復作動させるようにした羽根駆動装置も知られている。
【０００３】
また、それらの羽根駆動装置に使用可能な電磁アクチュエータとしては、種々の構成をしたものが知られているが、特許文献１に記載の電磁アクチュエータは、永久磁石を有していて一体的に形成した出力ピンを羽根部材に連結させている回転子と、基部と二つの脚部とで略Ｕ字形をしており二つの脚部の先端を回転子の周面に対向させた磁極部としていて一方の脚部に嵌装したボビンにコイルを巻回しているヨークとを備えており、その回転子を、コイルに対する電流の供給方向に対応した方向へ、所定の角度範囲内においてだけ回転させ得るように構成されている。そして、そのヨークは、地板に設けられた窪みに嵌め込まれ、地板との間に羽根室を構成するカバー板を地板に取り付けるとき、地板に押し付けられて固定されるようになっている。しかしながら、このようなヨークの固定方法は特殊であり、これまで実施されてきた固定方法としては、下記の特許文献２に記載されているように、ヨークの基部を地板に対してネジで固定するようにしたものが多かった。本発明は、略Ｕ字形のヨークを備えた二つの電磁アクチュエータを、撮影光路用の開口部を間にして配置するのではなく、特許文献１に記載されている構成のように、互いに近い位置に配置するようにしたカメラ用羽根駆動装置に関するものである。
【０００４】
【特許文献１】特開２００６−３３９１４号公報
【特許文献２】実用新案登録第２５９９９５７号公報
【発明の開示】
【発明が解決しようとする課題】
【０００５】
ところで、最近の単体のデジタルカメラには、種々のデザインが採用されている。そのため、羽根駆動装置としては、極力それらの多くのものに採用できるようにするために、地板を小さくして小型化をする必要がある。また、携帯用情報端末機器等の小型の機器に内蔵されるカメラの場合にも、当然のことながら小型化が要求されている。そこで、そのような観点から、特許文献１に記載されている羽根駆動装置の構成を見てみると、長方形をしている地板の大きさをこれ以上小さくするのは極めて難しい。その最も大きい原因は、二つの電磁アクチュエータの地板に対する相互の配置関係にある。しかも、特許文献２に記載されているように、ヨークの基部をネジで地板に取り付けようとすると、かえって地板の長手方向の大きさが大きくなってしまうことになる。
【０００６】
本発明は、このような問題点を解決するためになされたものであり、その目的とするところは、二つの電磁アクチュエータの相対的な配置関係とヨークの形状を工夫することによって、小型化にとって極めて好適な構成であって、しかも地板に対してヨークを確実に取り付けられるようにしたカメラ用羽根駆動装置を提供することである。
【課題を解決するための手段】
【０００７】
上記の目的を達成するために、本発明のカメラ用羽根駆動装置は、撮影光路用の開口部を有している合成樹脂製の地板と、前記地板に取り付けられていて前記地板との間に少なくとも一つの羽根室を構成しているカバー板と、前記羽根室外において前記地板に取り付けられているカバー枠と、前記羽根室内に往復作動可能に配置されていて各々が少なくとも１枚の羽根からなる第１羽根及び第２羽根と、基部と二つの脚部とで略Ｕ字形をしており一方の脚部にはコイルを巻回したボビンを嵌装し他方の脚部には該基部に対する付け根近傍位置に孔を有していて該二つの脚部の先端に形成された磁極部を前記地板と前記カバー枠との間に配置している第１ヨークと、基部と二つの脚部とで略Ｕ字形をしており一方の脚部にはコイルを巻回したボビンを嵌装し他方の脚部には該基部に対する付け根近傍位置に孔を有していて該他方の脚部を前記第１ヨークの他方の脚部と略平行に隣接させ該二つの脚部の先端に形成された磁極部を前記地板と前記カバー枠との間に配置している第２ヨークと、永久磁石を有していて前記第１ヨークの二つの磁極部の間に回転可能に配置されており一体化されている出力ピンを前記羽根室内で前記第１羽根に連結させている第１回転子と、永久磁石を有していて前記第２ヨークの二つの磁極部の間に回転可能に配置されており一体化されている出力ピンを前記羽根室内で前記第２羽根に連結させている第２回転子と、を備えており、前記二つのヨークは、それらの前記孔を前記地板に立設された二つの軸に嵌合させ、該二つの軸の先端を熱溶解させ変形させることによって前記地板に取り付けられているようにする。
【０００８】
その場合、前記二つのヨークと前記二つの回転子とは、該二つの回転子を前記開口部側にして配置されているようにすると、装置のコンパクト化に有利となる。また、前記カバー枠と前記二つのボビンとが、合成樹脂で一体成形されているようにすると、部品点数が削減され、低コスト化が可能になる。また、前記カバー枠は、複数の孔を有していて、それらの孔を前記地板に立設された複数の軸に嵌合させ、該複数の軸の先端を熱溶解させ変形させることによって前記地板に取り付けられているようにすると、ねじなどの固定部材が不要になり、一層低コスト化が可能になる。
【０００９】
更に、前記カバー枠は、前記第１回転子をカバーする第１カバー枠と、前記第２回転子をカバーする第２カバー枠とに分かれていて、前記第１ヨークに嵌装されている前記ボビンと該第１カバー枠とが合成樹脂で一体成形されており、前記第２ヨークに嵌装されている前記ボビンと該第２カバー枠とが合成樹脂で一体成形されているようにすると、低コスト化が可能なうえに、コイルの巻回が容易になる。そして、その場合には、前記第１カバー枠と前記第２カバー枠の少なくとも一方は、少なくとも一つの孔を有していて、該孔を前記地板に立設された軸に嵌合させ、該軸の先端を熱溶解させ変形させることによって前記地板に取り付けられているようにしてもよいし、前記第１カバー枠と前記第２カバー枠とは、それらの一部を薄くして重合させており、前記地板側となる重合部に形成されている孔又は切欠き部と、他方の重合部に形成されている孔とを前記地板に立設された軸に嵌合させ、該軸の先端を熱溶解させ変形させることによって前記地板に取り付けられているようにしてもよい。
【発明の効果】
【００１０】
本発明は、基部と二つの脚部とで略Ｕ字形をしている二つのヨークを、ボビンを嵌装していない脚部同士を略平行にし且つ隣接して配置するようにしたので、地板上での配置効率がよく、地板を小さくして装置の小型化を図ることが可能になる。また、カバー枠は、主にヨークの磁極部と回転子をカバーしているだけであって、ヨークの基部近傍は露出されているので、カバー枠が存在しない分だけ、その空間にカメラ側の部材の配置が可能になる。更に、二つのヨークは、隣接している脚部の付け根近傍位置に、対向するようにして地板への取付孔を形成しているので、従来よりもヨークの長さを短くして装置の小型化が図れるようになるし、従来と同じ長さにした場合には、ボビンの長さを長くしてコイルの巻き数を多くすることができるという特徴を有している。
【発明を実施するための最良の形態】
【００１１】
本発明の実施の形態を、図示した二つの実施例によって説明する。本発明は、シャッタ装置と絞り装置とをユニット化した羽根駆動装置にも、シャッタ装置とフィルタ装置とをユニット化した羽根駆動装置にも適用することができるものである。また、互いに異なる大きさの絞り開口を有した絞り羽根を備えている二つの絞り装置をユニット化した羽根駆動装置にも、互いに異なる濃度のフィルタ羽根を備えている二つのフィルタ装置をユニット化した羽根駆動装置にも適用することが可能である。更に、絞り装置とフィルタ装置とをユニット化した羽根駆動装置にも適用することが可能である。また、それらの装置は、銀塩フィルムを使用するカメラに採用することもできるし、各種情報端末機器用カメラを含むデジタルカメラにも採用することができるものである。しかしながら、実施例では、シャッタ装置と絞り装置とをユニット化した羽根駆動装置をデジタルカメラに採用した場合で説明することにし、その他のことについては、適宜説明することにする。
【実施例１】
【００１２】
本実施例は、一つの羽根室内に、第１電磁アクチュエータによって往復回転させられる１枚のシャッタ羽根と、地板に形成された撮影光路用の開口部よりも小さい絞り開口部を有していて第２電磁アクチュエータによって往復回転させられる１枚の絞り羽根と、を備えたカメラ用羽根駆動装置として構成したものである。そして、図１は、その斜視図であり、図２は、分解斜視図である。そこで先ず、本実施例の構成を説明する。本実施例の地板１は、合成樹脂製であって比較的厚い部材であり、平面形状は長方形をしている。そして、その長さ方向の一端側には、図１から分かるように、円形をした撮影光路用の開口部１ａが形成されている。また、その他端側は、図２から分かるように、凹凸形状をした肉厚部１ｂとして形成されている。
【００１３】
図２に示されているカバー板２は、薄い合成樹脂製であって、地板１と略同じ平面形状をしており、地板１との間に羽根室を構成している。そして、その羽根室内には、地板１側にシャッタ羽根３が配置され、カバー板２側に絞り羽根４が配置されているが、それらの羽根３，４には、根元部に円形の孔３ａ，４ａと長孔３ｂ，４ｂが形成されているほか、絞り羽根４の先端部には、上記の開口部１ａよりも小さくて絞り開口を規制するための開口部４ｃが形成されている。また、カバー板２には、上記の開口部１ａと対向するところに、同じ形状をした撮影光路用の開口部２ａが形成されているほか、円弧状をした二つの長孔２ｂ，２ｃと、円形をした七つの孔２ｄ，２ｅ，２ｆ，２ｇ，２ｈ，２ｉ，２ｊが形成されている。更に、カバー板２には、絞り羽根４の先端部で隠れたところと、根元部で隠れたところにも、円形をした孔が一つずつ形成されているほか、切欠き部２ｋが形成されている。そして、カバー板２は、地板１の羽根室側の面に立設されている図示していない三つの軸を、上記の孔２ｈ，２ｉと、絞り羽根４の先端部で隠れている孔に挿入し、それらの先端を熱溶解させフランジ状に変形させることによって取り付けられている。
【００１４】
また、地板１の羽根室側の面には、図示していない二つの羽根軸が立設されており、それらの先端を上記の孔２ｄ，２ｇに挿入している。そして、孔２ｄに挿入されている羽根軸には、シャッタ羽根３の孔３ａが回転可能に嵌合され、孔２ｇに挿入されている羽根軸には、絞り羽根４の孔４ａが回転可能に嵌合されているが、絞り羽根４の羽根軸は、カバー板２を地板１に組み付けるときの位置決め軸の役目もしている。また、地板１の羽根室側の面には、図示していないが、絞り羽根４の羽根軸と共にカバー板を組み付けるときの位置決めの役目をする軸が立設されており、その先端が上記の孔２ｊに嵌合させられている。更に、地板１の羽根室側の面には、ストッパ１ｃと、図示していない三つのストッパが設けられていて、ストッパ１ｃは、その先端を上記の切欠き部２ｋに挿入している。また、図示していない三つのストッパのうち二つのストッパは、それらの先端を上記の孔２ｅ，２ｆに挿入し、残りの一つのストッパは、その先端を、絞り羽根４の根元部で隠れている孔に挿入している。尚、先端を孔２ｅ，２ｆに挿入している二つのストッパがシャッタ羽根３のストッパであり、他の二つのストッパが絞り羽根４のストッパである。
【００１５】
地板１の肉厚部１ｂには、羽根室とは反対側の面に六つの軸１ｄ，１ｅ，１ｆ，１ｇ，１ｈ，１ｉが立設されている。それらのうち、軸１ｄ，１ｅは深い窪み内に立設されていて、それらに、全く同じ構成をした回転子５，６が回転可能に取り付けられている。また、図示されていないが、それらの窪み内には、上記の長孔２ｂ，２ｃと対向するところに、同じ形状の長孔が形成されている。回転子５は、本体部５ａの径方向に２極に着磁された永久磁石製であって、腕部５ｂの先端に設けられた出力ピン５ｃは、その窪み内の長孔を貫通して、羽根室内においてシャッタ羽根３の長孔３ｂに嵌合し、その先端を上記の長孔２ｂに挿入している。また、回転子６も、本体部６ａの径方向に２極に着磁された永久磁石製であって、腕部６ｂの先端に設けられた出力ピン６ｃは、窪み内の長孔を貫通して、羽根室内において絞り羽根４の長孔４ｂに嵌合し、その先端を上記の長孔２ｃに挿入している。尚、本実施例の回転子５，６は、本体部５ａ，６ａだけではなく、腕部５ｂ，６ｂと出力ピン５ｃ，６ｃも永久磁石製であるが、周知のように、それらを合成樹脂製にしても構わない。
【００１６】
また、上記の軸１ｆ，１ｇには、ヨーク７，８が取り付けられている。ヨーク７は、基部７ａと二つの脚部７ｂ，７ｃとで略Ｕ字形をしており、二つの脚部７ｂ，７ｃの先端を磁極部として回転子５の本体部５ａの周面に対向させている。そして、一方の脚部７ｂには、コイル９を巻回した筒状のボビン１０を嵌装しており、他方の脚部７ｃの付け根近傍位置には上記の軸１ｆに嵌合させる孔７ｄが形成されている。また、ヨーク８も、基部８ａと二つの脚部８ｂ，８ｃとで略Ｕ字形をしており、二つの脚部８ｂ，８ｃの先端を磁極部として回転子６の本体部６ａの周面に対向させている。そして、一方の脚部８ｂには、コイル１１を巻回した筒状のボビン１２を嵌装しており、他方の脚部８ｃの付け根近傍位置には上記の軸１ｇに嵌合させる孔８ｄが形成されている。即ち、本実施例の二つのヨーク７，８は共通部品であり、コイル９，１１を巻回したボビン１０，１２も共通部品であるが、ヨーク８はヨーク７を裏返した状態にしておいてボビン１２を嵌装していることになる。そして、これらのヨーク７，８は、孔７ｄ，８ｄを、軸１ｆ，１ｇに嵌合させた後、それらの軸１ｆ，１ｇの先端を熱溶解させフランジ状に変形させることによって地板１に取り付けられている。
【００１７】
更に、本実施例のカバー枠１３は、二つの孔１３ａ，１３ｂを有していて、それらを上記の軸１ｈ，１ｉに嵌合させた後、それらの軸１ｈ，１ｉの先端を熱溶解させフランジ状に変形させることによって地板１に取り付けられている。しかしながら、本発明は、このような取付け構成に限定されず、複数のネジで取り付けるようにしても差し支えない。
【００１８】
このように構成されている本実施例によれば、二つのヨーク７，８が、それらの四つの脚部７ｂ，７ｃ，８ｂ，８ｃを略平行にし、しかも、両者の脚部７ｃ，８ｃを隣接させて配置されているため、図１から分かるように、地板１の幅方向の寸法を、ぎりぎりまで小さくすることが可能になっている。その上、ボビン１０，１２を嵌装している脚部７ｂ，８ｂを外側にし、他方の脚部７ｃ，８ｃを内側にして配置したことによって、二つの回転子５，６の本体部５ａ，６ａ同士を内側に寄せ、出力ピン５ｃ，６ｃを脚部７ｂ，８ｂ側で作動させるようにしているので、地板１の幅を小さくしても、地板の長さ方向の寸法を大きくすることなく、各羽根３，４との連結構成が好適に得られるようになっている。
【００１９】
また、ヨーク７，８の脚部７ｂ，８ｂは、ボビン１０，１２を嵌装させる必要があることから、比較的直線状に形成されている。そのため、他方の脚部７ｃ，８ｃの磁極部を回転子５，６の本体部５ａ，６ａの周面に対向させようとすると、それらの付け根近傍位置の形状に設計上の余裕が生まれることになる。そこで、本実施例の場合には、その領域に地板１への取り付け用の孔７ｄ，８ｄを形成するようにしている。従って、特許文献２に記載されているようにして取り付け用の孔を形成する場合よりも、ヨークの長さが短くて済み、地板１の長さ方向の寸法を短くすることが可能になっている。また、観点をかえて言えば、地板１の長さ方向の寸法を短くしなくてよい場合には、その分だけヨーク７，８の脚部７ａ，７ｂ，８ａ，８ｂの長さを長くすることができるので、ボビン１０，１２の長さを長くしてコイル９，１１の巻き数を多くし、駆動力のパワーアップが図れることになる。
【００２０】
更に、本実施例の場合、カバー枠１３は、回転子５，６とヨーク７，８の磁極部をカバーしているだけであり、ボビン１０，１２をカバーしていない。そのため、全体としての装置の薄型化が図られている。また、ヨーク７，８の基部７ａ，８ａや脚部７ｃ，８ｃの付け根部もカバーしていないので、ヨーク７，８の取付け作業がし易く、カバー枠１３の取付け作業と連続して行うことが可能である。また、ヨーク７，８は、軸１ｆ，１ｇの先端をフランジ状に変形させて取り付けられるので、ネジで取り付けるよりもコスト的に有利であり、しかも、変形されたフランジ部はカバー枠１３よりも薄いこともあって、取付部近傍の空間が大きくなり、羽根駆動装置以外の部材との配置構成にとって有利になる。そして、本実施例のこれらの特徴は、下記の実施例２の場合にも言えることである。
【００２１】
次に、本実施例の作動を説明する。先ず、カメラの電源スイッチをオンにした撮影待機状態においては、シャッタ羽根３は、時計方向へ回転した位置で、カバー板２の孔２ｅに先端を挿入している図示していないストッパに接触し、開口部１ａを全開にしている。また、絞り羽根４は、時計方向へ回転した位置で、絞り羽根４の根元部で隠れている孔に先端を挿入している図示していないストッパに接触し、開口部１ａから退いている。そのため、図示していない固体撮像素子には被写体光が当たっており、撮影者は、モニターによって被写体像を観察することが可能になっている。また、このとき、夫々の電磁アクチュエータのコイル９，１１には通電されていない。しかしながら、周知のように、このとき、回転子５，６は、その本体部５ａ，６ａの磁極とヨーク７，８の各々の二つの磁極部との対向配置関係によって、時計方向へ回転するように付勢されていて、その状態が維持されている。
【００２２】
撮影に際してレリーズボタンが押されると、その初期段階において、先ず、測光回路によって被写体光を測定し、その結果によって、被写体光を減光して撮影すると判断された場合には、最初に絞り羽根４を開口部１ａに進入させておいてから実際の撮影が開始されるが、先ずは、被写体光を減光しないで撮影すると判断された場合を説明する。その場合には、直ちに、固体撮像素子に蓄積されていた電荷を放出させて、撮影が開始され、新たな電荷が固体撮像素子に蓄積されていく。そして、所定の時間が経過すると、露光時間制御回路からの信号によって、コイル９に順方向の電流が供給され、回転子５は、反時計方向へ回転させられる。それによって、シャッタ羽根３は、出力ピン５ｃによって、反時計方向へ回転させられ、開口部１ａを閉鎖した後、カバー板２の孔２ｆに先端を挿入した図示していないストッパに当接して停止する。
【００２３】
その後、固体撮像素子に蓄積された電荷が、撮像情報として記憶装置に転送されるが、それが終わると、コイル９に対して上記とは異なり逆方向の電流が供給される。そのため、回転子５は時計方向へ回転させられ、その出力ピン５ｃによって、シャッタ羽根３を時計方向へ回転させ、開口部１ａの開き作動を行わせる。そして、シャッタ羽根３は、開口部１ａを全開にした直後に、カバー板２の孔２ｅに先端を挿入している図示していないストッパに当接し、停止する。その後、コイル９への通電を断つと、最初の撮影待機状態に復帰したことになる。
【００２４】
次に、撮影に際してレリーズボタンを押したとき、測光回路の測定結果によって、被写体光を減光して撮影すると判断された場合について説明する。その場合には、最初に、コイル１１に対して順方向の電流が供給される。それによって、回転子６は、反時計方向へ回転させられるので、出力ピン６ｃによって、絞り羽根４を反時計方向へ回転させる。そのため、絞り羽根４は、露光用開口部１ａに進入してゆき、開口部４ｃの中心が、開口部１ａの中心位置までくると、ストッパ１ｃに当接して停止する。
【００２５】
この状態になると、上記のようにして、実際の撮影が開始され、その後、コイル９に順方向の電流が供給されると、シャッタ羽根３の閉じ作動が行われる。そして、その閉じ作動の終了後、固体撮像素子に蓄積された電荷が、撮像情報として記憶装置に転送されると、コイル９に対して逆方向の電流が供給され、シャッタ羽根３の開き作動が行われる。他方、コイル１１に対しても、上記とは異なり逆方向の電流が供給されるので、回転子６は時計方向へ回転させられ、その出力ピン６ｃによって、絞り羽根４を時計方向へ回転させる。そして、絞り羽根４は、開口部１ａから完全に退くと、上記の図示していないストッパに当接して停止する。その後、二つのコイル９，１１への通電を断つと、撮影待機状態に復帰したことになる。
【実施例２】
【００２６】
本実施例も、一つの羽根室内に、各々の電磁アクチュエータによって往復回転させられる１枚のシャッタ羽根と１枚の絞り羽根とを配置したカメラ用羽根駆動装置として構成したものであり、図３は、その斜視図であり、図４は、分解斜視図である。そして、本実施例の構成部材の中には、実施例１の構成部材と同じものや、実質的に同じものが多い。そのため、それらの部材，部位には、実施例１の場合と同じ符号を付けておき、以下においては、異なる点だけを説明することにする。また、本実施例の作動は、実施例１の場合と全く同じである。そのため、その説明は省略する。
【００２７】
先ず、本実施例の地板１は、肉厚部１ｂに、実施例１における軸１ｈ，１ｉを立設しておらず、その代わりに軸１ｊを立設している点が異なっているだけである。カバー板２は、実施例１の場合と全く同じであり、羽根室内に配置されているシャッタ羽根３と絞り羽根４も全く同じである。但し、図４に示されているカバー板２には、実施例１において、絞り羽根４の先端部に隠れていた孔が符号２ｍで示されており、絞り羽根４の根元部で隠れていた孔が符号２ｎで示されている。そして、実施例１において説明したように、孔２ｍは、地板１の羽根室側に立設されている図示していない軸が挿入される孔であって、その軸は、上記したように、図示していない他の二つの軸と共に、先端を熱溶解でフランジ状に変形させられ、カバー板２を取り付けるためのものである。また、孔２ｎは、絞り羽根４が時計方向へ回転するのを阻止するために、地板１に設けられている図示していないストッパの先端を挿入するための孔である。更に、回転子５，６とヨーク７，８も、実施例１の場合と全く同じである。
【００２８】
しかしながら、本実施例は、実施例１におけるボビン１０，１２とカバー枠１３の構成が、大きく異なったものとなっており、実施例１におけるカバー枠１３を二つの部材に分離すると共に、それらの部材を実施例１におけるボビン１０，１２と合成樹脂の一体成形で製作したものにしてある。即ち、本実施例の第１カバー枠１４は、略方形をしており回転子５とヨーク７の二つの磁極部とをカバーするカバー部１４ａと、コイル１５を巻回しているボビン部１４ｂとで構成されており、カバー部１４ａの一辺には約半分の厚さの肉薄部が設けられ、そこに半月形の切欠き部１４ｃ（孔でもよい）が形成されている。また、第２カバー枠１６も略方形をしており、回転子６とヨーク８の二つの磁極部とをカバーするカバー部１６ａと、コイル１７を巻回しているボビン部１６ｂとで構成されており、カバー部１６ａの一辺には約半分の厚さの肉薄部が設けられ、そこに孔１６ｃが形成されている。
【００２９】
そして、これらのカバー枠１４，１６を地板１に取り付けるには、先ず、第１カバー枠１４のボビン部１４ｂの中空部にヨーク７の脚部７ｂを挿入しておいてから、ヨーク７の孔７ｄを軸１ｆに嵌合させると共に、切欠き部１４ｃを軸１ｊに合せておく。次に、第２カバー枠１６のボビン部１６ｂの中空部にヨーク８の脚部８ｂを挿入しておいてから、ヨーク８の孔８ｄを軸１ｇに嵌合させると共に、孔１６ｃを軸１ｊに嵌合させる。そして、軸１ｆ，１ｇ，１ｊの先端を熱溶解させフランジ状に変形させると、図３に示された構成が得られる。尚、本実施例の場合は、二つのカバー枠１４，１６が、このようにして取り付けられているが、本発明は、このような取り付け方に限定されず、カバー枠１４，１６を個別に、一箇所又は複数箇所で取り付けるようにしてもよい。そして、そのようにする場合には、各々、本実施例の軸１ｊのように先端を変形させて取り付けても、ネジで取り付けるようにしても構わない。
【００３０】
このように、本実施例では、実施例１の場合には、カバー枠１３，二つのボビン１０，１２の３部品であったのに対して、第１カバー枠１４と第２カバー枠１６との２部品で済むようにしている。そのため、量産上、コストの低減が可能になっている。しかしながら、二つのカバー枠１４，１６を一体成形で１部品にすれば、さらにコストの低減が可能になる。
【００３１】
尚、上記の各実施例においては、地板１の平面形状が長方形をしているが、本発明の地板は、そのような形状に限定されるものではない。また、上記の各実施例の場合は、シャッタ羽根が１枚であるが、本発明は、周知のように、出力ピン５ｃによって相反する方向へ同時に往復作動させられる２枚のシャッタ羽根としてもよい。また、上記の各実施例においては、二つの回転子５，６と二つのヨーク７，８とは、二つの回転子５，６を撮影光路用の開口部１ａ側にして配置されているが、それらの配置を逆にして、ヨーク７，８の基部７ａ，８ａを撮影光路用の開口部１ａ側にして配置するようにしても構わない。そのようにすると、回転子５，６の出力ピン５ｃ，６ｃと各羽根３，４の長孔３ｂ，４ｂとの連結部が、図１，図３において左下端近傍位置に配置されることになるため、地板１の長手方向の寸法を短くすることが可能になる。
【００３２】
また、上記の各実施例は、シャッタ装置と絞り装置とをユニット化した羽根駆動装置であるが、絞り羽根４に、開口部４ｃを覆うようにしてＮＤフィルタシートを取り付ければフィルタ羽根になって、シャッタ装置とフィルタ装置とをユニット化した羽根駆動装置になる。また、上記の各実施例におけるシャッタ羽根３を、開口部１ａ，４ｃとは大きさの異なる開口部を形成して絞り羽根とすれば、二つの絞り装置をユニット化した羽根駆動装置になるし、さらに、それらの絞り羽根にＮＤフィルタシートを取り付ければ、二つのフィルタ装置をユニット化した羽根駆動装置になる。更に、本実施例は、デジタルカメラに採用された場合で説明したが、シャッタ羽根の開閉作動の順序と時機を変えることによって銀塩フィルムを使用するカメラにも採用できることは言うまでもない。
【図面の簡単な説明】
【００３３】
【図１】実施例１の斜視図である。
【図２】実施例１の分解斜視図である。
【図３】実施例２の斜視図である。
【図４】実施例２の分解斜視図である。
【符号の説明】
【００３４】
１                            地板
１ａ，２ａ，４ｃ              開口部
１ｂ                          肉厚部
１ｃ                          ストッパ
１ｄ，１ｅ，１ｆ，１ｇ，１ｈ，１ｉ，１ｊ  軸
２                            カバー板
２ｂ，２ｃ，３ｂ，４ｂ        長孔
２ｄ，２ｅ，２ｆ，２ｇ，２ｈ，２ｉ，２ｊ，２ｍ，２ｎ，３ａ，４ａ，７ｄ，８ｄ，１３ａ，１３ｂ，１６ｃ      孔
２ｋ，１４ｃ                  切欠き部
３                            シャッタ羽根
４                            絞り羽根
５，６                        回転子
５ａ，６ａ                    本体部
５ｂ，６ｂ                    腕部
５ｃ，６ｃ                    出力ピン
７，８                        ヨーク
７ａ，８ａ                    基部
７ｂ，７ｃ，８ｂ，８ｃ        脚部
９，１１，１５，１７          コイル
１０，１２                    ボビン
１３                          カバー枠
１４                          第１カバー枠
１４ａ，１６ａ                カバー部
１４ｂ，１６ｂ                ボビン部
１６                          第２カバー枠
【図１】
2008083203.tif 000003
【図２】
2008083203.tif 000004
【図３】
2008083203.tif 000005
【図４】
2008083203.tif 000006